(57)【要約】      （修正有）【課題】物干し場の間隙の有効活用による物干し作業者の負担軽減とストレス解消を図ることができるハンガーを提供する。【解決手段】それぞれ１本の線材で形成された上側からフック部２ａとその下方に波形の取付部２ｂと下端にコイル部３ａの内径よりも太径の止め金部２ｃで形成した吊り下げフック２と上側から内径が前記取付部２ｂの線材の直径以上で、前記波形の波高以下の内径を有する前記コイル部３ａとを有する。さらに、その下方に連結部３ｂと肩掛け部３ｄの端を固定する固定部３ｃと肩掛け部３ｄを順に有するハンガー本体３によりハンガー１を構成する。コイル部３ａと取付部２ｂが係合することで、吊り下げフック２とハンガー本体３を回転自在と回転抑止に係合したことにより、利用幅の調整が可能になる。【選択図】図１
0003175724.tif 000002
【実用新案登録請求の範囲】
【請求項１】
それぞれ１本の線材で形成された上側からフック部（２ａ）とその下方に波形の取付部（２ｂ）と下端にコイル部（３ａ）の内径よりも大径の止め金部（２ｃ）で形成した吊り下げフック（２）と上側から内径が前記取付部（２ｂ）の線材の直径以上で、前記波形の波高以下の内径を有する前記コイル部（３ａ）とその下方に連結部（３ｂ）と肩掛け部（３ｄ）の端を固定する固定部（３ｃ）と肩掛け部（３ｄ）を順に有するハンガー本体（３）から構成したハンガー（１）であって、コイル部（３ａ）と取付部（２ｂ）が係合することで、吊り下げフック（２）とハンガー本体（３）を回転自在と回転抑止に係合したハンガー（１）。
【考案の詳細な説明】
【技術分野】
【０００１】
物干し場の間隙活用のハンガーに関するものである。
【背景技術】
【０００２】
マンション住まいの当家の一角にある狭い物干し場の光景で、物干し中の妻が、物干し場に干しきれないとブツブツ言いながら、部屋の一角に仮物干し場を設けている姿を、よく見かけた。
【０００３】
物干し場の間隙活用のハンガーに関する特許、実用新案は見当たらないが、本考案の課題解決手段の「ハンガー」「回転」「物干し」「回転抑止」による自在な方向設定にあるので、関係する文言をキー（「ハンガー」「回転」「物干し」）にしてインターネットで検索したところ、特開２００２−０５２２９４公報の請求項１が「・・・・前記フック部及びハンガー本体の内でいずれか一方の側にある突出部が他方の側にある回り止め部にひっかかって回り止めされる事によって前記フック部とハンガー本体との回転方向位置を固定する様に構成し、かつ支持棒の真上から見た支持棒の長手方向と支持棒に掛けられたハンガー本体の長手方向との為す角度が少なくとも０°と９０°に固定できる様にした事を特徴とするハンガー。」と記載されているので、方向設定が限定される欠点があり、又、他にも有るが、回転のみとか、方向設定が限定される欠点がある。（特許文献１〜７を参照）。
【先行技術文献】
【特許文献】
【０００４】
【特許文献１】特許４５７４３６５号公報
【特許文献２】特開平７−２４６１４８公報
【特許文献３】特開平８−０３８３４１公報
【特許文献４】特開平９−１８２８９８公報
【特許文献５】特開２００２−０５２２９４公報
【特許文献６】特開２００５−０３４５７９公報
【特許文献７】特開２００５−２１１６１８公報
【考案の概要】
【考案が解決しようとする課題】
【０００５】
背景技術に述べたように、物干し場一杯に物を干したと言うが、干すために間隙が必要とは言え、全体の間隙の大きさが、物干し場の大きさに比べて大き過ぎる様に見え、この間隙が大きければ大きいほど、物干し場不足の頻度が大きくなり、物干し作業者の負担が急増し、ストレスの増大となる。
本考案は、以上のことから、間隙の有効活用で、物干し場不足の頻度が小さくなり、物干し作業者の負担軽減とストレスの解消を提供することになる。
【課題を解決するための手段】
【０００６】
本考案は請求項１として、それぞれ１本の線材で形成された上側からフック部（２ａ）とその下方に波形状の取付部（２ｂ）と下端にコイル部（３ａ）の内径よりも大径の止め金部（２ｃ）で形成した吊り下げフック（２）と上側から内径が前記取付部（２ｂ）の線材の直径以上で、前記波形状の波高以下の内径を有する前記コイル部（３ａ）とその下方に連結部（３ｂ）と肩掛け部（３ｄ）の端を固定する固定部（３ｃ）と肩掛け部（３ｄ）を順に有するハンガー本体（３）から構成したハンガー（１）であって、コイル部（３ａ）と取付部（２ｂ）が係合することで、吊り下げフック（２）とハンガー本体（３）を回転自在と回転抑止に係合したことにより、利用幅（図５参照）の調整を可能にした特徴ある構造からなるハンガー（１）である。
以上のハンガー（１）を利用することで、間隙が使用可能となるため、物干し場不足の頻度が小さくなり、物干し作業者の負担が大幅に軽減され、ストレスの解消になる。
以下に、用語、形、目的などの補足説明をする。
【０００７】
部材は、太目の針金の様な硬いもので、棒状、楕円状、角状のいずれでも良い。
【０００８】
フック部（２ａ）の形は、丸形、楕円形、菱形のいずれでも良い。
【０００９】
取付部（２ｂ）の長さは、コイル部（３ａ）のコイル長以上で、波形の目的は、吊り下げフック（２）とハンガー本体（３）の回転を抑止するための静止摩擦力強化のためである。
【００１０】
利用幅とは、図５より、物干し竿の長手方向を中心にした短手方向の長さのことである。
【００１１】
止め金部（２ｃ）は、コイル部（３ａ）からの抜け防止、及び、吊り下げハンガー（２）とハンガー本体（３）の回転抑止のためのものである。
【考案の効果】
【００１２】
図５より、物干し竿を中心に、従来のハンガー（固定一体形）の最小の利用幅（図５参照）は、長手方向の長さで一定なのに対し、ハンガー（１）の最小の利用幅（図５参照）は、短手方向の長さと極端に短くなり、今まで、間隙となった空間が使用可能になるため、物干し場不足の頻度が小さくなり、物干し作業者の大きな負担軽減とストレス解消になる。
【図面の簡単な説明】
【００１３】
【図１】本考案を正面から見た斜視図。
【図２】本考案を正面から見た分解斜視図。
【図３】取付部（２ｂ）と止め金部（２ｃ）とコイル部（３ａ）と連結部（３ｂ）と固定部（３ｃ）と肩掛け部（３ｄ）の最初の部分と最後の部分の拡大したコイル部（３ａ）の縦断面図。
【図４】取付部（２ｂ）と止め金部（２ｃ）の拡大した投影図。
【図５】物干し竿、従来のハンガー、ハンガー（１）との関係と利用幅の説明図。
【図６】ハンガー（１）の調整手順を示すフロー図。
【図７】本考案の実施例と従来のハンガーとの対比説明図。
【考案を実施するための形態】
【００１４】
請求項１に関して、図１と図２のように、それぞれ１本の線材で形成された上側からフック部（２ａ）とその下方に波形の取付部（２ｂ）と下端にコイル部（３ａ）の内径よりも大径の止め金部（２ｃ）で形成した吊り下げフック（２）と上側から内径が前記取付部（２ｂ）の線材の直径以上で、前記波形の波高以下の内径を有する前記コイル部（３ａ）とその下方に連結部（３ｂ）と肩掛け部（３ｄ）の端を固定する固定部（３ｃ）と肩掛け部（３ｄ）を順に有するハンガー本体（３）から構成したハンガー（１）であって、コイル部（３ａ）と取付部（２ｂ）が係合することで、吊り下げフック（２）とハンガー本体（３）の回転自在と回転抑止に係合したことにより、利用幅（図５参照）の調整を可能にした構造からなるハンガー（１）である。
【実施例】
【００１５】
ハンガー（１）の作製を図１と図２を基に説明、次に利用幅を図６の調整手順を基に説明、最後に実施例を図７に示す。
ハンガー（１）は、図２の分解図のように、２つの部分で構成されることより、それぞれ１本の線材で形成された上側からフック部（２ａ）とその下方に波形状の取付部（２ｂ）と下端に上底が該取付部（２ｂ）の線材の直径と同じ長径の楕円形状で、最下端部の下底がコイル部（３ａ）の内径よりも大きい長径の楕円形状の台形状の止め金部（２ｃ）で形成した吊り下げフック（２）と上側から内径が前記取付部（２ｂ）の線材の直径以上で、前記波形状の波高以下の内径を有する前記コイル部（３ａ）とその下方に連結部（３ｂ）と肩掛け部（３ｄ）の端を固定する巻形の固定部（３ｃ）と肩掛け部（３ｄ）を順に有するハンガー本体（３）から構成したハンガー（１）であって、コイル部（３ａ）と取付部（２ｂ）が係合することで、吊り下げフック（２）とハンガー本体（３）の回転自在と回転抑止に係合したハンガー（１）とする。
【００１６】
次に、ハンガー（１）の利用幅を調整する前提条件として、間隙を最大に生かすため、間隙の形と大きさ、必要とする物干し竿の本数と配置、肩掛け部（２ｂ）の両端の位置との３つとの関係を考慮した利用幅であることを確認して、図６の調整手順を実施する。
【００１７】
最後に、以上の構造と形状のハンガー（１）として、１本の硬い針金（２ｍｍ）を約２０ｃｍと約１００ｃｍの長さに切り作製し、利用幅を約２０ｃｍに調整したハンガー（１）を６個用意し、当家の物干し場でのテスト結果を実施例として図７に示す。
以下に、本数等の補足説明をする。
【００１８】
止め金部（２ｃ）を、実施例では、静止摩擦力を強化するため、台形状としたが、丸形状、長方形状、Ｌ字形状、逆Ｔ字形状であっても良い。
【００１９】
利用幅（図５参照）を狭くすることで、干し物が真横から見ていたのが斜め前から見る状態になるため、形状判別が容易になる。
【００２０】
利用幅（図５参照）を約１０ｃｍにすると、倍以上の物干しが可能となる。
【００２１】
図６の利用幅（図５参照）の調整手順は、実施例で製作した台形状の止め金部（２ｃ）用である。
【００２２】
ハンガー（１）を衣類の整理整頓に適用することで、洋服ダンスなどの狭い場所に多くの衣類を吊り下げることができる。
【００２３】
固定部（３ｃ）を実施例では巻形としたが、簡単な引掛け形であっても良い。
【産業上の利用可能性】
【００２４】
吊り下げフック（２）とハンガー本体（３）の方向を自由に設定できることで、利用幅に合わせることができるため、物干し場以外での利用も提案できる。
・  衣類を取り扱うデパートやお店などの業界において活用できる。
・  洗濯物を取り扱う工場や取次店などの業界において活用できる。
・  衣類を吊るすクローゼットや洋服ダンスを取り扱う工場やお店などの業界において活用できる。
・  工場、事務所等の間隙や狭い空間を従業員等の作業着や私服の収納に活用できる。
【符号の説明】
【００２５】
１    ハンガー
２    吊り下げフック
２ａ  フック部
２ｂ  取付部
２ｃ  止め金部
３    ハンガー本体
３ａ  コイル部
３ｂ  連結部
３ｃ  固定部
３ｄ  肩掛け部
【図１】
0003175724.tif 000003
【図２】
0003175724.tif 000004
【図３】
0003175724.tif 000005
【図４】
0003175724.tif 000006
【図５】
0003175724.tif 000007
【図６】
0003175724.tif 000008
【図７】
0003175724.tif 000009